(57)【要約】【課題】ベルトコンベアの排出部において燃料の飛散を抑制できる燃料供給システムを提供する。【解決手段】燃料供給システム１は、ベルトコンベア１０の排出部５０に設けられ、燃料の飛び出し方向を規制する方向規制部材３１Ａ，３１Ｂを備える。このように、方向規制部材３１Ａ，３１Ｂが、ベルトコンベア１０の排出部５０にて燃料の飛び出し方向を規制することにより、燃料が飛散することを抑制することができる。また、方向規制部材３１Ａ，３１Ｂは、非鉄材を含んで構成される部材であるため、燃料に金属が含まれるような場合であっても、接触による火花等の発生を防止できる。【選択図】図２
2017180914.tif 000002
【特許請求の範囲】
【請求項１】
燃料を燃焼する炉内へ前記燃料の供給を行う燃料供給システムであって、
前記燃料を搬送するベルト、及び当該ベルトを案内する回転軸部材を有するベルトコンベアと、
前記ベルトコンベアの排出部に設けられ、前記燃料の飛び出し方向を規制する方向規制部材と、を備え、
前記方向規制部材は、非鉄材を含んで構成される部材である、燃料供給システム。
【請求項２】
前記方向規制部材は、前記ベルトの幅方向における両端側に配置され、前記ベルトコンベアの搬送方向における上流側から下流側に向かうに従って、前記幅方向における内側へ延びるように傾斜する、請求項１に記載の燃料供給システム。
【請求項３】
前記方向規制部材を当該方向規制部材の周辺構造へ取り付けるための取付部材を更に備える、請求項１又は２に記載の燃料供給システム。
【請求項４】
前記取付部材及び前記方向規制部材は、前記ベルトの幅方向における端部側に配置され、
前記取付部材は、前記幅方向において前記ベルトより外側に配置され、
前記方向規制部材は、前記幅方向において前記ベルトより内側まで延びている、請求項３に記載の燃料供給システム。
【請求項５】
前記方向規制部材は、難燃性材料を含んで構成される部材である、請求項１〜４の何れか一項に記載の燃料供給システム。
【請求項６】
前記方向規制部材は、面粗度が所定の値より低い材料を含んで構成される部材である、請求項１〜４の何れか一項に記載の燃料供給システム。
【請求項７】
前記方向規制部材は上下方向に広がっており、当該方向規制部材の上端は、少なくとも前記ベルトのうち前記回転軸部材の上側に配置される部分よりも、上方まで延びる、請求項１〜６の何れか一項に記載の燃料供給システム。
【請求項８】
前記ベルトコンベアの搬送方向において、前記ベルトコンベア及び前記方向規制部材よりも下流側には、前記ベルトコンベアから飛び出した前記燃料を受けるバケットが設けられ、
前記方向規制部材は、前記ベルトの幅方向における両端側に配置され、
一対の前記方向規制部材同士の前記幅方向における離間距離は、前記バケットの前記幅方向における寸法よりも小さい、請求項１〜７の何れか一項に記載の燃料供給システム。
【発明の詳細な説明】
【技術分野】
【０００１】
本発明は、燃料供給システムに関する。
【背景技術】
【０００２】
従来、燃料を燃焼させる火炉として、特許文献１に記載されているものが知られている。この火炉では、化石資源を除く動植物に由来する有機性資源であるバイオマス燃料等の燃料を燃焼炉で燃焼させている。このような火炉に対して燃料を供給する燃料供給システムは、ベルトコンベアを用いて燃料を搬送する部分を有する場合があった。
【先行技術文献】
【特許文献】
【０００３】
【特許文献１】特開２００４−３６４９０号公報
【発明の概要】
【発明が解決しようとする課題】
【０００４】
ここで、ベルトコンベアを用いて燃料を搬送すると、ベルトコンベアの排出部において燃料が飛散する場合があった。従って、ベルトコンベアの排出部において燃料が飛散しない燃料供給システムが要請されていた。
【０００５】
本発明は、上述の課題を解決するためになされたものであり、ベルトコンベアの排出部において燃料の飛散を抑制できる燃料供給システムを提供することを目的とする。
【課題を解決するための手段】
【０００６】
上記課題を解決するため、本発明に係る燃料供給システムは、燃料を燃焼する炉内へ燃料の供給を行う燃料供給システムであって、燃料を搬送するベルト、及び当該ベルトを案内する回転軸部材を有するベルトコンベアと、ベルトコンベアの排出部に設けられ、燃料の飛び出し方向を規制する方向規制部材と、を備え、方向規制部材は、非鉄材を含んで構成される部材である。
【０００７】
この燃料供給システムは、ベルトコンベアの排出部に設けられ、燃料の飛び出し方向を規制する方向規制部材を備える。このように、方向規制部材が、ベルトコンベアの排出部にて燃料の飛び出し方向を規制することにより、燃料が飛散することを抑制することができる。なお、方向規制部材は、非鉄材を含んで構成される部材であるため、燃料に金属が含まれるような場合であっても、接触による火花等の発生を防止できる。
【０００８】
本発明に係る燃料供給システムにおいて、方向規制部材は、ベルトの幅方向における両端側に配置され、ベルトコンベアの搬送方向における上流側から下流側に向かうに従って、幅方向における内側へ延びるように傾斜してよい。このような構成により、ベルトの幅方向の両端側において、燃料を幅方向の内側へスムーズに案内することができる。
【０００９】
本発明に係る燃料供給システムにおいて、方向規制部材を当該方向規制部材の周辺構造へ取り付けるための取付部材を更に備えてよい。このような構成により、方向規制部材の材質によらず、取付部材の材料を適宜選択可能となる。
【００１０】
本発明に係る燃料供給システムにおいて、取付部材及び方向規制部材は、ベルトの幅方向における端部側に配置され、取付部材は、幅方向においてベルトより外側に配置され、方向規制部材は、幅方向においてベルトより内側まで延びていてよい。このような構成により、ベルトコンベアから排出される燃料と取付部材とが接触することを回避できる一方、燃料と方向規制部材とを接触させることができる。
【００１１】
本発明に係る燃料供給システムにおいて、方向規制部材は、難燃性材料を含んで構成される部材であってよい。このような構成により、方向規制部材との接触による火花等の発生を防止できる。
【００１２】
本発明に係る燃料供給システムにおいて、方向規制部材は、面粗度が所定の値より低い材料を含んで構成される部材であってよい。このような構成により、方向規制部材に燃料が付着することを抑制できる。
【００１３】
本発明に係る燃料供給システムにおいて、方向規制部材は上下方向に広がっており、当該方向規制部材の上端は、少なくともベルトのうち回転軸部材の上側に配置される部分よりも、上方まで延びてよい。このような構成により、ベルトの上面から排出される燃料が方向規制部材と接触する確実性を向上できる。
【００１４】
本発明に係る燃料供給システムにおいて、ベルトコンベアの搬送方向において、ベルトコンベア及び方向規制部材よりも下流側には、ベルトコンベアから飛び出した燃料を受けるバケットが設けられ、方向規制部材は、ベルトの幅方向における両端側に配置され、一対の方向規制部材同士の幅方向における離間距離は、バケットの幅方向における寸法よりも小さくてよい。このような構成により、方向規制部材から排出された燃料が、バケットで受けられず落下することを抑制できる。
【発明の効果】
【００１５】
本発明によれば、ベルトコンベアの排出部において燃料の飛散を抑制できる。
【図面の簡単な説明】
【００１６】
【図１】図１は、本実施形態に係る燃料供給システムを示す概略構成図である。
【図２】図２は、本実施形態に係る燃料供給システムの搬送コンベアを上方から見たときの様子を示す断面図である。
【図３】図３は、図２に示すＩＩＩ−ＩＩＩ線に沿った断面図である。
【図４】図４は、図２に示す方向規制部材の拡大図である。
【発明を実施するための形態】
【００１７】
以下、添付図面を参照しながら本発明の実施形態について説明する。なお、以下の説明において、同一又は相当要素には同一の符号を付し、重複する説明を省略する。
【００１８】
図１は、本実施形態に係る燃料供給システムを示す概略構成図である。図１に示すように、燃料供給システム１は、燃料を燃焼する炉６０内へ燃料の供給を行うシステムである。燃料供給システム１は、ホッパー２と、搬送コンベア３と、バケットコンベア４と、搬送コンベア６と、バンカー７と、搬送コンベア８と、を備えている。
【００１９】
ホッパー２は、外部から供給された燃料を貯留して、当該燃料を下方の搬送コンベア３へ落下させて供給する装置である。搬送コンベア３は、ベルトコンベア１０によって燃料を水平方向へ搬送する装置である。ベルトコンベア１０の一端側はホッパー２の下方に配置されている。ホッパー２から落下した燃料は、ベルトコンベア１０の一端側に供給され、ベルトコンベア１０によって他端側へ搬送される。ベルトコンベア１０の他端側には、バケットコンベア４が設けられる。
【００２０】
バケットコンベア４は、下端側で搬送コンベア３に接続されており、下端側で搬送コンベア３から供給された燃料を上方へ搬送する装置である。バケットコンベア４は、上下方向へ延びるベルトコンベア１１と、ベルトコンベア１１に接続されたバケット１２と、を備えている。バケット１２は、ベルトコンベア１１のベルトに所定のピッチで設けられている。バケット１２は、搬送コンベア３のベルトコンベア１０から搬送された燃料をバケットコンベア４の下端側で受容する。燃料を受容したバケット１２は、ベルトコンベア１１によって上方へ搬送される。バケット１２は、バケットコンベア４の上端側で反転すると共に、保持していた燃料をバケットコンベア４の上端側に設けられた排出口１３から排出する。
【００２１】
搬送コンベア６は、バケットコンベア４の排出口から排出された燃料を水平方向へ搬送する。搬送コンベア６は、ベルトコンベアやスクリューコンベアにより、一端側でバケットコンベア４から供給された燃料を他端側へ搬送する。搬送コンベア６は、搬送した燃料を他端側にてバンカー７内へ落下させる。バンカー７は、搬送コンベア６から搬送された燃料を貯留する装置である。バンカー７の底部にはリクレーマー１６が設けられている。リクレーマー１６は、バンカー７の底部の中央位置に設けられた排出口１７から外周側へ径方向に延びる部材である。リクレーマー１６は、排出口１７を中心として旋回することによって、バンカー７の底部全面から燃料をかき集め排出口１７から排出する。搬送コンベア８は、バンカー７の排出口１７から落下した燃料を水平方向へ搬送する。搬送コンベア８は、ベルトコンベアやスクリューコンベアにより、一端側でバンカー７から供給された燃料を他端側へ搬送する。搬送コンベア８は、搬送した燃料を他端側にて炉６０内に落下させる。
【００２２】
次に、図２〜図４を参照して、搬送コンベア３の詳細な構成について説明する。図２は、搬送コンベア３を上方から見た図である。図３は、図２に示すＩＩＩ−ＩＩＩ線に沿った断面図である。図４は、方向規制部材の拡大図である。図２及び図３に示すように、搬送コンベア３は、ベルトコンベア１０と、方向規制構造３０と、を備えている。
【００２３】
ベルトコンベア１０は、燃料を搬送するベルト２１と、ベルト２１を案内する回転軸部材２２と、を備える。なお、以降の説明においては、ベルトコンベア１０により燃料を搬送する方向を「搬送方向Ｄ１」として説明する。回転軸部材２２は、搬送方向Ｄ１と直交する水平方向に延びる円筒状の部材である。回転軸部材２２は、図示されない駆動装置に接続されており、回転軸線ＣＬ２を中心として回転駆動する。なお、搬送方向Ｄ１における上流側の端部には、回転軸部材２３が設けられている（図１参照）。
【００２４】
ベルト２１は、搬送方向Ｄ１における下流側の回転軸部材２２と上流側の回転軸部材２３との間に架け渡された無端の帯状の部材である。ベルト２１のうち、回転軸部材２２の上端と回転軸部材２３の上端の間で水平方向に延びる上側部分２４は、回転軸部材２２の回転駆動によって、搬送方向Ｄ１に移動する。ベルト２１のうち、回転軸部材２２の下端と回転軸部材２３の下端の間で水平方向に延びる下側部分２６は、回転軸部材２２の回転駆動によって、搬送方向Ｄ１と反対側に移動する。なお、回転軸部材２２が回転軸線ＣＬ２に沿って延びる方向（搬送方向Ｄ１と直交する水平方向）がベルト２１の幅方向に該当する。なお、以降の説明においては、ベルト２１の幅方向を単に「幅方向Ｄ２」と称する。
【００２５】
ベルト２１のうち上側部分２４の上面２４ａに載置された燃料は、搬送方向Ｄ１に沿って搬送される。また、燃料は、下流側の回転軸部材２２の位置にて、当該回転軸部材２２よりも搬送方向Ｄ１へ向かって飛び出る。従って、回転軸部材２２付近の位置が、ベルトコンベア１０の排出部５０に該当する。
【００２６】
ベルトコンベア１０は、上下方向及び幅方向Ｄ２の両端側の四方を周壁部４０に取り囲まれている。周壁部４０は、ベルトコンベア１０を内部に収容して水平方向に延びる矩形管状の部材である。周壁部４０は、ベルトコンベア１０の幅方向Ｄ２の両端側に配置される側壁部４１Ａ，４１Ｂと、ベルトコンベア１０の上方に配置される上壁部４２と、ベルトコンベア１０の下方に配置される下壁部４３と、を備えている。側壁部４１Ａ，４１Ｂは、ベルトコンベア１０より幅方向Ｄ２外側へ離間するように配置されており、幅方向Ｄ２に互いに平行をなすように対向している。上壁部４２及び下壁部４３は、ベルトコンベア１０より上下方向へ離間するように配置されており、互いに平行をなすように対向している。周壁部４０は、搬送方向Ｄ１における端部においてバケットコンベア４に接続されている。具体的には、周壁部４０は、バケットコンベア４における上下方向に延びる側壁部４５に接続される。側壁部４５は、周壁部４０が接続されている位置において開口部を有している。従って、ベルトコンベア１０から搬送されて搬送方向Ｄ１に排出された燃料は、当該開口部を介してバケットコンベア４内へ供給される。バケットコンベア４内では、ベルトコンベア１０と搬送方向Ｄ１において対向する位置にバケット１２が設けられている。バケット１２は、幅方向Ｄ２に沿って所定の幅寸法を有している。従って、ベルトコンベア１０から排出された燃料は、バケット１２に受容される。
【００２７】
方向規制構造３０は、一対の方向規制部材３１Ａ，３１Ｂと、一対の取付部材３２Ａ，３２Ｂと、を備える。方向規制部材３１Ａ，３１Ｂ及び取付部材３２Ａ，３２Ｂは、ベルトコンベア１０の排出部５０に対して、幅方向Ｄ２の両端側に設けられる。具体的には、方向規制部材３１Ａ及び取付部材３２Ａは、幅方向Ｄ２における側壁部４１Ａ側に設けられる。方向規制部材３１Ｂ及び取付部材３２Ｂは、幅方向Ｄ２における側壁部４１Ｂ側に設けられる。なお、上方から見たときにおける（図２に示す様子）ベルトコンベア１０の幅方向Ｄ２に対する中心線ＣＬ１を設定した場合、方向規制部材３１Ａ及び取付部材３２Ａと、方向規制部材３１Ｂ及び取付部材３２Ｂとは、線対称な構造となっている。以降の説明において、「幅方向における内側」とは方向規制部材３１Ａ及び取付部材３２Ａにとっては図２における紙面下側を示し、方向規制部材３１Ｂ及び取付部材３２Ｂにとっては図２における紙面上側を示す。
【００２８】
取付部材３２Ａ，３２Ｂは、方向規制部材３１Ａ，３１Ｂを側壁部４１Ａ，４１Ｂ（方向規制部材の周辺構造）へ取り付けるための部材である。取付部材３２Ａ，３２Ｂは、搬送方向Ｄ１に延びる板状部材を先端側で屈曲させた部材である。具体的には、取付部材３２Ａ，３２Ｂは、搬送方向Ｄ１における上流側に、側壁部４１Ａ，４１Ｂと重ね合わせられて接合される接合部３２ａと、搬送方向Ｄ１における下流側に、方向規制部材３１Ａ，３１Ｂを固定するための固定片部３２ｂと、を備えている。固定片部３２ｂは、搬送方向Ｄ１側へ向かうに従って、幅方向Ｄ２における内側へ延びるように傾斜している。取付部材３２Ａ，３２Ｂの材質は特に限定されず、鉄、非鉄等の金属材料を適用してもよく、非金属等を適用してもよい。
【００２９】
方向規制部材３１Ａ，３１Ｂは、ベルトコンベア１０の排出部５０に設けられ、燃料の飛び出し方向を規制する部材である。方向規制部材３１Ａ，３１Ｂは、搬送方向Ｄ１における上流側から下流側に向かうに従って、前記幅方向における内側へ延びるように傾斜する。本実施形態では、方向規制部材３１Ａ，３１Ｂは、取付部材３２Ａ，３２Ｂの固定片部３２ｂに固定された板状部材によって構成されている。方向規制部材３１Ａ，３１Ｂは、非鉄材を含んで構成される部材である。方向規制部材３１Ａ，３１Ｂは、ゴムや鉄以外の金属などのように、燃料中に含まれた金属分と衝突したときに火花を発生させないような材料であればよい。例えば、方向規制部材３１Ａ，３１Ｂは、難燃性ゴム等の難燃性材料を含んで構成される部材であってよい。また、方向規制部材３１Ａ，３１Ｂは、面粗度が所定の値より低い材料を含んで構成される部材であってよい。例えば、難燃性ゴム等のゴム質の部材の面粗度であれば燃料の付着を防止することができる。なお、方向規制部材３１Ａ，３１Ｂの面粗度は、種々の燃料が持つ付着力を考慮して適宜選択されるものであって、燃料が付着しない面粗度以下の部材であれば何でもよい。
【００３０】
図４を参照して、方向規制部材３１Ａ，３１Ｂの構成について更に詳細に説明する。なお、図４には、方向規制部材３１Ｂのみが示されているが、方向規制部材３１Ａも同趣旨の構成を有している。方向規制部材３１Ｂは、幅方向Ｄ２における外側の端部が取付部材３２Ｂの固定片部３２ｂに固定されている。図４においては、方向規制部材３１Ｂの端部は、固定片部３２ｂの裏面側に重ね合わせられて固定されているが、表面側に重ね合わせられてもよい。また、方向規制部材３１Ｂは、固定片部３２ｂに対してねじ止めで固定されているが、固定方法は特に限定されず、クランプ等の方法によって固定されてもよい。方向規制部材３１Ｂは、固定片部３２ｂと同角度で傾斜している。方向規制部材３１Ｂの側壁部４１Ｂに対する角度θは、５〜４５°に設定されてよい。なお、方向規制部材３１Ｂと固定片部３２ｂとの角度は同一でなくともよく、異なっていてもよい。
【００３１】
また、各部材の位置関係について説明する。図２に示すように、取付部材３２Ａ，３２Ｂは、幅方向Ｄ２においてベルト２１より外側に配置されてよい。本実施形態では、取付部材３２Ａ，３２Ｂの幅方向Ｄ２における内側の端部３２ｃが、ベルト２１の幅方向Ｄ２における端部２１ａよりも外側に配置される。このとき、取付部材３２Ａと取付部材３２Ｂとの幅方向Ｄ２における離間距離Ｌ２は、ベルト２１の幅方向Ｄ２における寸法Ｌ１よりも大きい。また、方向規制部材３１Ａ，３１Ｂは、幅方向Ｄ２においてベルト２１より内側まで延びていてよい。本実施形態では、方向規制部材３１Ａ，３１Ｂの幅方向Ｄ２における内側の端部３1ａが、ベルト２１の幅方向Ｄ２における端部２１ａよりも内側に配置される。このとき、方向規制部材３１Ａと方向規制部材３１Ｂとの幅方向Ｄ２における離間距離Ｌ３は、ベルト２１の幅方向Ｄ２における寸法Ｌ１よりも小さい。なお、離間距離Ｌ３が方向規制部材３１Ａ，３１Ｂによって飛び出し方向を規制された後の排出部５０の排出範囲５１の幅方向Ｄ２の寸法に該当する。従って、排出範囲５１はベルト２１の幅領域に含まれるという関係が成り立つ。
【００３２】
ベルトコンベア１０の搬送方向Ｄ１において、ベルトコンベア１０及び方向規制部材３１Ａ，３１Ｂよりも下流側には、ベルトコンベア１０から飛び出した燃料を受けるバケット１２が設けられる。バケット１２の側壁部４１Ａ側の端部を「端部１２ａＡ」とし、側壁部４１Ｂ側の端部を「端部１２ａＢ」とする。方向規制部材３１Ａ，３１Ｂの幅方向Ｄ２における内側の端部３1ａが、バケット１２の幅方向Ｄ２における端部１２ａＡ，１２ａＢよりも内側に配置される。このとき、方向規制部材３１Ａと方向規制部材３１Ｂとの幅方向Ｄ２における離間距離Ｌ３は、バケット１２の幅方向Ｄ２における寸法よりも小さい。
【００３３】
ここで、バケット１２は、搬送時において幅方向Ｄ２に位置ずれを起こす場合がある。このようにバケット１２の位置ずれが生じた場合であっても、方向規制部材３１Ａ，３１Ｂによる排出範囲５１がバケット１２の幅領域に含まれることが好ましい。バケット１２の位置ずれが側壁部４１Ｂ側に最も大きくなった場合における、バケット１２の端部１２ａＡの位置を端部位置ＰＧ１（図２において仮想線で示している）とする。バケット１２の位置ずれが側壁部４１Ａ側に最も大きくなった場合における、バケット１２の端部１２ａＢの位置を端部位置ＰＧ２（図２において仮想線で示している）とする。この場合、側壁部４１Ａ側の方向規制部材３１Ａの内側の端部３１ａは、端部位置ＰＧ１よりも幅方向Ｄ２における内側に配置される。側壁部４１Ｂ側の方向規制部材３１Ｂの内側の端部３１ａは、端部位置ＰＧ２よりも幅方向Ｄ２における内側に配置される。
【００３４】
次に、図３を参照して、上下方向における各構成要素の位置関係について説明する。なお、図３では方向規制部材３１Ａ及び取付部材３２Ａのみが示されているが、方向規制部材３１Ｂ及び取付部材３２Ｂも同趣旨の構成を有している。図３に示すように、幅方向Ｄ２から見た場合、方向規制部材３１Ａ及び取付部材３２Ａは上下方向に広がっている。方向規制部材３１Ａ及び取付部材３２Ａと、ベルトコンベア１０とは、少なくとも一部が上下方向において重なるように配置される。方向規制部材３１Ａの上端３１ｂは、少なくともベルト２１のうち回転軸部材２２の上側に配置される上側部分２４の上面２４ａよりも、上方まで延びてよい。なお、方向規制部材３１Ａの上端３１ｂは、上壁部４２から下方へ離間した位置に配置されているが、上壁部４２と接触してもよい。なお、方向規制部材３１Ａの上端３１ｂは、上面２４ａよりも下方の位置に配置されていてもよい。あるいは、上端３１ｂが搬送方向Ｄ１の位置によって高さ位置が異なり、上端３１ｂの一部だけが上面２４ａよりも上方に配置されてよい。
【００３５】
方向規制部材３１Ａの下端３１ｃは、少なくともベルト２１のうち回転軸部材２２の下側に配置される下側部分２６の下面２６ａよりも、下方まで延びてよい。なお、方向規制部材３１Ａの下端３１ｃは、下壁部４３から上方へ離間した位置に配置されているが、下壁部４３と接触してもよい。なお、方向規制部材３１Ａの下端３１ｃは、下面２６ａよりも上方の位置に配置されていてもよい。あるいは、下端３１ｃが搬送方向Ｄ１の位置によって高さ位置が異なり、下端３１ｃの一部だけが下面２６ａよりも下方に配置されてよい。
【００３６】
なお、取付部材３２Ａの上端３２ｄは、方向規制部材３１Ａの上端３１ｂと同一の関係が成り立ち、取付部材３２Ａの下端３２ｅは、方向規制部材３１Ａの下端３１ｃと同一の関係が成り立つ。しかしながら取付部材３２Ａの上端３２ｄ及び下端３２ｅは、方向規制部材３１Ａの上端３１ｂ及び下端３１ｃと同一の位置になくともよい。
【００３７】
次に、本実施形態に係る燃料供給システム１の作用・効果について説明する。
【００３８】
燃料供給システム１は、ベルトコンベア１０の排出部５０に設けられ、燃料の飛び出し方向を規制する方向規制部材３１Ａ，３１Ｂを備える。このように、方向規制部材３１Ａ，３１Ｂが、ベルトコンベア１０の排出部５０にて燃料の飛び出し方向を規制することにより、燃料が飛散することを抑制することができる。また、方向規制部材３１Ａ，３１Ｂは、非鉄材を含んで構成される部材であるため、燃料に金属が含まれるような場合であっても、接触による火花等の発生を防止できる。
【００３９】
燃料供給システム１において、方向規制部材３１Ａ，３１Ｂは、ベルト２１の幅方向Ｄ２における両端側に配置され、ベルトコンベア１０の搬送方向Ｄ１における上流側から下流側に向かうに従って、幅方向における内側へ延びるように傾斜する。このような構成により、ベルト２１の幅方向の両端側において、燃料を幅方向の内側へスムーズに案内することができる。
【００４０】
燃料供給システム１において、方向規制部材３１Ａ，３１Ｂを当該方向規制部材３１Ａ，３１Ｂの周辺構造へ取り付けるための取付部材３２Ａ，３２Ｂを更に備えている。このような構成により、方向規制部材３１Ａ，３１Ｂの材質によらず、取付部材３２Ａ，３２Ｂの材料を適宜選択可能となる。例えば、取付強度を確保するため、非鉄材である方向規制部材３１Ａ，３１Ｂとは異なり、取付部材３２Ａ，３２Ｂの材料として鋼鉄を採用してもよい。
【００４１】
燃料供給システム１において、取付部材３２Ａ，３２Ｂ及び方向規制部材３１Ａ，３１Ｂは、ベルト２１の幅方向Ｄ２における端部側に配置され、取付部材３２Ａ，３２Ｂは、幅方向Ｄ２においてベルト２１より外側に配置され、方向規制部材３１Ａ，３１Ｂは、幅方向Ｄ２においてベルト２１より内側まで延びている。このような構成により、ベルトコンベア１０から排出される燃料と取付部材３２Ａ，３２Ｂとが接触することを回避できる一方、燃料と方向規制部材３１Ａ，３１Ｂとを接触させることができる。
【００４２】
燃料供給システム１において、方向規制部材３１Ａ，３１Ｂは、難燃性材料を含んで構成される部材であってよい。このような構成により、方向規制部材３１Ａ，３１Ｂが燃焼することを防止できる。
【００４３】
燃料供給システム1において、方向規制部材３１Ａ，３１Ｂは、面粗度が所定の値より低い材料を含んで構成される部材であってよい。このような構成により、方向規制部材３１Ａ，３１Ｂに燃料が付着することを抑制できる。
【００４４】
燃料供給システム1において、方向規制部材３１Ａ，３１Ｂは上下方向に広がっており、当該方向規制部材３１Ａ，３１Ｂの上端３１ｂは、少なくともベルト２１のうち回転軸部材２２の上側に配置される上側部分２４よりも、上方まで延びている。このような構成により、ベルト２１の上面２４ａから排出される燃料が方向規制部材３１Ａ，３１Ｂと接触する確実性を向上できる。
【００４５】
燃料供給システム１において、ベルトコンベア１０の搬送方向Ｄ１において、ベルトコンベア１０及び方向規制部材３１Ａ，３１Ｂよりも下流側には、ベルトコンベア１０から飛び出した燃料を受けるバケット１２が設けられる。方向規制部材３１Ａ，３１Ｂは、ベルト２１の幅方向Ｄ２における両端側に配置され、一対の方向規制部材３１Ａ，３１Ｂ同士の幅方向Ｄ２における離間距離Ｌ３は、バケット１２の幅方向Ｄ２における寸法よりも小さい。このような構成により、方向規制部材３１Ａ，３１Ｂから排出された燃料が、バケット１２で受けられず落下することを抑制できる。
【００４６】
本発明は、上述の実施形態に限定されるものではない。
【００４７】
例えば、上述の実施形態における方向規制部材は、板状であったが、燃料の方向を規制することができる限り、どのような形状であってもよい。例えば、多角形柱状の形状を有していてもよい。また、方向規制部材の幅方向におけるベルトやバケットの位置関係も、上述の実施形態の構成に限定されるものではなく、適宜変更可能である。同様に、取付部材の形状も、特に限定されず、方向規制部材を周辺構造に取り付けることができる限り、適宜変更してよい。
【００４８】
また、上述の実施形態では、方向規制部材の全体が非鉄材によって構成されていたが、例えば、燃料と接触する表面の部分だけ非鉄材によって構成され、内部領域が鋼鉄などによって構成されていてもよい。
【００４９】
また、取付部材を有していなくともよく、方向規制部材が直接的に側壁部などの周辺構造に固定されてもよい。
【符号の説明】
【００５０】
１…燃料供給システム、１０…ベルトコンベア、１２…バケット、２１…ベルト、２２…回転軸部材、３１Ａ，３１Ｂ…方向規制部材、３１ｂ…上端、３２Ａ，３２Ｂ…取付部材、６０…炉。
【図１】
2017180914.tif 000003
【図２】
2017180914.tif 000004
【図３】
2017180914.tif 000005
【図４】
2017180914.tif 000006